【事件の表示】
　平成　７年特許願第３５０３４９号「多心光コネクタの組立方法」拒絶査定不服審判事件〔平成　９年　７月１１日出願公開、特開平　９−１７８９８１〕について、次のとおり審決する。
【結　論】
　本件審判の請求は、成り立たない。
【理　由】
Ｉ．手続の経緯
　本願は、平成７年１２月２２日の出願であって、原審において平成１６年１０月８日付で拒絶査定がなされ、これに対し、同年１１月１８日に拒絶査定に対する審判請求がなされるとともに、同年１２月２０日に手続補正がなされたものである。
　
　
ＩＩ．平成１６年１２月２０日付の手続補正についての補正却下の決定
［補正却下の決定の結論］
　平成１６年１２月２０日付の手続補正を却下する。
［理由］
１．補正の内容　  
　平成１６年１２月２０日付の手続補正（以下、「本件補正」という。）は、補正前の請求項２を削除し、補正前の請求項１を下記のように補正することを含むものである。　　
 「【請求項１】ファイバ穴と当該ファイバ穴に光ファイバを誘導するためのガイド溝を有するフェルールが、治具の基台上に固定してあり、前記基台上において、テープ心線を把持する送り部材が、前記フェルールに向かって前進して、前記ファイバ穴に光ファイバが挿入されるようにする工程において、 
　前記基台がフェルール固定部とファイバスライド部とに分割してあって、前記送り部材を前進して、光ファイバの先端部が前記ガイド溝の上方にさしかかったとき、前記ファイバスライド部を後ろ上がりに傾斜させ、そのために光ファイバの先端が前記ガイド溝内に納まり、その後、さらに前記送り部材を前進させファイバ穴へ光ファイバを送り込み、この送り込みは前記ファイバスライド部を後ろ上がりに傾斜させた状態にて行った後、さらにファイバスライド部を水平状態に戻して行うことを特徴とする、多心光コネクタの組立方法。」（なお、「ファイバ穴へ光ファイバの送り込み」は、「ファイバ穴へ光ファイバを送り込み」の誤りと解されるので、上記の通り認定した。）  
　
　上記補正は、補正前の請求項１に記載した発明を特定するために必要な事項である「前記送り部材が前進すること」について、「この送り込みは前記ファイバスライド部を後ろ上がりに傾斜させた状態にて行った後、さらにファイバスライド部を水平状態に戻して行う」との限定を行うものであって、平成１８年改正前特許法第１７条の２第４項第２号の特許請求の範囲の減縮を目的とするものである。　  
　そこで、本件補正後の請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。　  
 　  
２．引用刊行物記載の発明 
（１）引用刊行物１　  
　本願の出願日前に頒布された刊行物である実願平１−７８３５９号（実開平３−１８５０５号）のマイクロフィルム（以下、「引用刊行物１」という。）には、図面とともに下記の事項が記載されている。　  
ア）「一般に、光コネクタのプラグ等を組み立てる場合、その前工程又は本工程として光ファイバ心線の端部を光コネクタフェルールに固定保持させる工程があることは良く知られている。」（第２ページ第６〜１０行） 
イ）「・・・、光ファイバテープ心線等のように、多数本の光ファイバを有するものにあっては、それらを同時に光コネクタフェルールの微細孔に挿入する作業は非常に困難で、・・・・」（第２ページ第１７〜２０行） 
ウ）「本考案は、光ファイバテープ心線の光ファイバを光コネクタフェルールの微細孔へ容易かつ確実に挿入できる新規な光コネクタ組立用の心線挿入工具を提供することを目的とする。」（第３ページ最下行〜第４ページ第４行） 
エ）「本考案は、光ファイバテープ心線を前後方向に案内するとともにこの光ファイバテープ心線の左右方向の位置決めをするために光ファイバテープ心線より広幅に形成されたガイド溝を有する第１支持台と、該第１支持台の前端部に上記ガイド溝の溝幅方向に延びる軸線を中心としての揺動が自在に枢着された第２支持台とを備えた光コネクタ組立用の心線挿入工具であって、上記第１支持台は上記光ファイバテープ心線をガイド溝内に固定し得る第１固定手段を有し、また、上記第２支持台は光コネクタフェルールを上記光ファイバテープ心線の先端部が挿入可能に固定する第２固定手段を有する・・・。」（第４ページ第６〜最下行） 
オ）「上述した構成によれば、第２支持台に光コネクタフェルールを第２固定手段により固定した後、第１支持台のガイド溝に光ファイバテープ心線をセットし、この後第２支持台を第１支持台に対して若干傾斜させ、この状態で光ファイバテープ心線を左右方向に微調整しつつ前方へ移動させれば、光コネクタフェルールの各微細孔に所定の光ファイバがそれぞれ挿入される。」（第５ページ第２〜１０行） 
カ）「第１図から第３図に示すように、前後方向へ長い第１支持台１の前端部に第２支持台２が揺動自在に枢着されている。」（第５ページ第１６〜１８行） 
キ）「上記第１支持台１は光ファイバテープ心線６を支持する合成樹脂製のもので、その上面には前後方向へ延びるガイド溝７が形成される。このガイド溝７は、その溝幅が光ファイバテープ心線６の幅より若干大きく設定される。」（第６ページ第４〜９行） 
ク）「上記スライダ１１は、その下面にゴム板１３が貼着されるとともに、上記ロッド１０に遊嵌されて左右方向への微動と前後方向への移動が可能になっている。」（第６ページ１９行〜第７ページ第２行） 
ケ）「一方、第２支持台２は、後述する光コネクタフェルール１６を支持する金属製のもので、・・・」（第７ページ第９，１０行） 
コ）「また、上記光コネクタフェルール１６は、第６図及び第７図に示すように、方形ブロック状のフェルール本体２１と該フェルール本体２１の後端部に連結する角形のゴムブーツ２２とからなる。」（第７ページ第１８行〜第８ページ第２行） 
サ）「また、フェルール本体２１の上面中央には凹部２５が形成され、この凹部２５の下面に前後方向に延びるＶ溝２６が多数条（図中では５条）形成される。そして、上記Ｖ溝２６の前端に連通する微細孔２７がフェルール本体２１の前部を前後方向へ貫通して多数（図中ではＶ溝２６に対応して５箇）形成される。さらに、フェルール本体２１の後部には上記Ｖ溝２６の後端に連通する嵌合孔２８が前後方向に貫通形成され、この嵌合孔２８に上述したゴムブーツ２２の前半部が嵌着している。上記ゴムブーツ２２内には光ファイバテープ心線６の前端部がある程度ゆとりを持って挿入されて・・・」（第８ページ第７〜最下行） 
シ）「このように構成されるため、先ず第２支持台２上に光コネクタフェルール１６を固定させる。」（第９ページ第３〜５行） 
ス）「次いで、スライダ１１及び板クランプ１２を、第５図に示すように、開状態にした後第１支持台１のガイド溝７に光ファイバテープ心線６をセットする。この後、スライダ１１のみ閉じてこのスライダ１１を前方へ移動させると、スライダ１１の下面にゴム板１３を介して摩擦接触した光ファイバテープ心線６もガイド溝７に沿って前方へ移動する。」（第９ページ第１１〜１９行） 
セ）「このようにして、光ファイバテープ心線６を前方移動させることで、各光ファイバ６ａをフェルール本体２１の所定の微細孔２７へ自動的に挿入できる。この際、第２支持台２を第１支持台１に対して上下に揺動させることで、各光ファイバ６ａの先端部をフェルール本体２１のＶ溝２６に１本ずつ整列させる（換言すれば捌く）ことができる。また、各光ファイバ６ａをＶ溝２６内に整列させた後、第２支持台２を第１支持台１に対して上方へ約２０度傾斜させることで、各光ファイバ６ａの先端部がＶ溝２６の底部に位置させられ、この状態（即ち、先端部の浮き上りが回避された状態）で前方へ移動するため、各光ファイバ６ａの先端部がＶ溝２６に案内されて円滑かつ確実にフェルール本体２１の各微細孔２７内に挿入される。」（第１０ページ第３〜１９行） 
　
　上記ア）〜セ）からみて、引用刊行物１には次の発明（「多数本の光ファイバを光コネクタフェルールの微細孔へ挿入する方法」の発明、及び「多数本光ファイバの光コネクタ組立用の心線挿入工具」の発明）が記載されていると認められる。
　　  
「微細孔と当該微細孔に光ファイバを誘導するためのＶ溝を有する光コネクタフェルールが第２支持台上に固定され、また該第２支持台と揺動自在に枢着された第１支持台上において光ファイバテープ心線をゴム板を介して摩擦接触するスライダが前記光コネクタフェルールに向かって前方へ移動し、前記微細孔に光ファイバが挿入されるようにする工程において、 
　前記第１支持台上のスライダを前記光コネクタフェルールに向かって前方へ移動する際、前記第２支持台を後ろ上がりに傾斜させ、そのために光ファイバの先端部が前記Ｖ溝内に納まり、その後、さらに前記スライダを前方に移動して微細孔に光ファイバを送り込む、光ファイバテープ心線の多数本の光ファイバを光コネクタフェルールの微細孔へ挿入する方法。」（以下、「引用発明１」という。）
　
「光コネクタフェルールへ光ファイバを導き、当該光コネクタフェルールの微細孔へ光ファイバを挿入する、多数本光ファイバのための光コネクタ組立用の心線挿入工具であって、
前記光コネクタ組立用の心線挿入工具は、光コネクタフェルールを固定する第２支持台と、光ファイバを前後方向へ移動可能に保持する第１支持台とが揺動可能に枢着されている、多数本光ファイバのための光コネクタ組立用の心線挿入工具。」（以下、「引用発明１Ａ」という。）
 　 
（２）引用刊行物２ 
　また、本願の出願日前に頒布された刊行物である特開平４−３５０８０６号公報（以下、「引用刊行物２」という。）には、図面とともに下記の事項が記載されている。 
タ）「【０００８】 
　【課題を解決するための手段】この発明の組立装置は、上面の窓を境にして後部側にブーツ挿入穴を、前部側にＶ溝を入口側に部分的に開放させてある光ファイバの心出し孔を有し、さらに、前面に２個の基準ピン穴を有している多心の光コネクタを組立の対象とするものであって、Ｎ（≧２）個の光コネクタをＹ軸方向に向けてＹ軸と直角なＸ軸方向に並列に支持するトレーと、上記基準ピン穴の各々に挿入する平行な位置決めピン及びこのピンの軸方向駆動手段を有するトレー部内光コネクタの心出し機構と、上記トレー及び心出し機構を支持するステージテーブルと、このテーブルをＹ軸方向及びＺ軸（垂直）方向に駆動し、かつ、Ｙ軸が傾く方向に傾斜させるテーブル位置制御装置と、光コネクタを供給点からトレー内に搬送する光コネクタの供給装置と、Ｎ本の多心光ファイバを、端末側外皮の受け溝、外皮上に装着されているゴムブーツの受け溝及び装着後の光コネクタの受け部を有するホルダで支持し、さらに、そのホルダを受け台で支えて多心光ファイバの各々をトレー内光コネクタの後方に位置決め固定する光ファイバ保持部と、この保持部よりもトレー側において、多心光ファイバの露出した心線を各々がＺ軸方向の駆動手段をもつ上側押えと下側受け間に挾んで下側受けのＶ溝で心出しする心線ガイド部と、この心線ガイド部よりもトレー側に設けて上記心線のＸ軸方向視の屈曲状態からコネクタに対する心線挿入の良否を検査する光学式検査装置と、トレー内光コネクタの上方に移動するノズルから上記窓を通して光コネクタ内に接着剤を滴下する接着剤注入装置とを具備している。そして、光コネクタ及び多心光ファイバのセッティング、心線ガイド部による心線の心出し保持後にステージテーブルを光ファイバ側に移動させて光コネクタへの心線挿入を開始し、次に、コネクタの光ファイバ心出し孔の入口側Ｖ溝に心線が進入した位置でステージテーブルを心線端が上向きになる方向に傾けて上記心出し孔に心線端を少し挿入し、かつこの時点で心線の屈曲が異常であれば挿入動作をやり直して正常挿入確認後にステージテーブルを元に戻し、さらに、この後の挿入で挿入量が所定値に達したら心線ガイド部の上側押えと下側押えをコネクタ移動路から退避する位置まで離反させ、次いで、接着剤を光コネクタ内に注入し、その後、上記ゴムブーツが光コネクタのブーツ挿入穴に嵌まるまでステージテーブルを位置制御装置でＹ軸方向に小きざみに移動させて光ファイバの最終挿入動作を進めるように構成されている。」 
チ）「【００１１】 
　【作用】トレー内の光コネクタは心出し機構によって、多心光ファイバは可搬式ホルダを用いた保持部によって、光ファイバの露出した心線の途中部は心線ガイド部によって各々位置決めされる。また、これでもなお、自由状態の心線端が動いて心出し孔にうまく進入しない恐れがあるが、挿入途中にステージテーブルを傾けると、心線が撓んで心出し孔の入口部のＶ溝に密着する力が生じ、Ｖ溝によるガイドが正確になる。また、仮に心線端が心出し孔の入口にひっかかったとしても、心線の屈曲状態からこれを検出し、無理な力が加わる前に１ステップ戻って挿入動作をやり直すため、不良挿入及びこれに起因した心線の折れは皆無となり、装置のトラブルによる休止も無くなる。」 
ツ）「【００２３】図１３及び図１４は、この発明の装置によって組立てる光コネクタと多心光ファイバの概要を示している。光コネクタ３０は、上面の窓３１よりも前部側に多心光ファイバ３５の心線を挿入する心出し孔３２を有している。この心出し孔３２は、Ｖ溝３２ａを長手方向途中から閉じて作り出されたものであり、Ｖ溝３２ａの一部は窓３１の部分に開放している。」 
テ）「【００２４】以上の如く構成された例示の組立装置は、トレー７に対する光コネクタ３０のセッティング、光ファイバ保持部１６に対する多心光ファイバ３５のセッティング（光ファイバを保持した可搬式ホルダ１７の装着）、心線ガイド部１９による露出心線の心出し保持を行い、その後にステージテーブル１をＹ軸方向に駆動して光ファイバ側に移動させる。この移動、即ち挿入動作がある程度進んだら、図１４に示すように、心線３７の端部がコネクタのブーツ挿入穴３３を通って心出し孔３２の入口側に開放しているＶ溝３２ａの部分に移動してくる。そこで、図１の傾斜駆動手段６によりステージテーブル１を好ましくは２０°以下の角度に傾斜させ、図１５に示すように心線３７をその端部が上向きになるように撓ませる。また、Ｖ溝３２ａが心線の保持位置よりも上側にくるようにテーブル１を同時に上昇させる。これにより、心線３７がＶ溝３２ａに密着する力が生じ、従って、この状態を維持して挿入を進めればＶ溝３２ａによるガイド効果が充分に発揮されて心線が心出し孔３２にうまく進入する。」 
ト）「【００２５】次に、正常挿入が確認されたらステージテーブル１を水平かつ元の高さ位置に戻して所定位置まで挿入を進める。」 
　
　上記タ）〜ト）からみて、引用刊行物２には次の発明が記載されていると認められる。
　
「多心光ファイバの心線端部をコネクタの心出し孔の入り口側に開放しているＶ溝部分に移動させ、該コネクタを傾斜させて上記心線端部が上向きになるように撓ませ、この状態を維持しつつＶ溝によるガイド効果を利用して該心線を心出し孔に進入させ、正常挿入確認後に該コネクタを水平に戻してさらにその挿入を進める、多心光コネクタ組立装置。」
　 
（３）引用刊行物３ 
　また、本願の出願日前に頒布された刊行物である特開平４−１８５０８号公報（以下、「引用刊行物３」という。）には、図面とともに下記の事項が記載されている。 
ナ）「第８図（ａ）〜（ｄ）に示すように、光ファイバ１７を比較的水平な状態にしたままで、光コネクタフェルール１１の入口部１８より挿入し、光ファイバ１７の先端をガイド用溝部のＶ溝部１４上まで移動させる（第８図（ａ）参照）。」（第４ページ右下欄第１１〜１５行） 
ニ）「次いで光ファイバ１７を前進させ、微細孔１５を通過させる（第８図（ｃ）参照）。この通過の際、第１図に示す光ファイバ端末固定治具２３をくさび形押部２５にて前進させることにより光ファイバ１７をやや撓ませてＶ溝部１４に押し付けるようにして挿通させるとよい。」（第５ページ左上欄最下行〜同ページ右上欄第６行） 
　
　上記ナ）、ニ）からみて、引用刊行物３には次の発明が記載されていると認められる。
　
「光ファイバの先端をガイド用溝部のＶ溝部上まで移動し、次いで該光ファイバを前記ガイド用溝内に納める際に、光コネクタフェルールに対して光ファイバテープ心線を後ろ上がりに傾斜させる光コネクタフェルール自動装着装置。」
　 
（４）引用刊行物４ 
　また、本願の出願日前に頒布された刊行物である特開平６−２０１９４８号公報（以下、「引用刊行物４」という。）には、図面とともに下記の事項が記載されている。 
ハ）「【特許請求の範囲】 
　【請求項１】固定フレームと、その固定フレームに形成されたガイドレールに案内されて前進後退するスライド部材とを備え、前記固定フレームは、ガイドレールの一端側に、測定器側の光ファイバテープ心線に取り付けられたフェルールとそのフェルールに突き合わせ接続された空フェルールの少なくとも一方を定位置に固定する固定手段を有し、前記スライド部材は、ケーブル側の光ファイバテープ心線を把持する心線ホルダを有することを特徴とする光ファイバテープ心線の簡易接続治具。」 
ヒ）「【０００９】一方、スライド部材２５は光ケーブル１側の光ファイバテープ心線３を把持する心線ホルダ２９を有している（図２参照）。この心線ホルダ２９はテープ心線３の被覆と光ファイバがずれないようにしっかりと把持するものである。」
　
　上記ハ）、ヒ）からみて、引用刊行物４には次の発明が記載されていると認められる。
　
「スライド可能な心線ホルダにより光ファイバテープ心線を把持する、光ファイバテープ心線の簡易接続治具。」
 　 
３．対比　  
　本願補正発明と引用発明１を対比する。　  
（ａ）引用発明１における「第２支持台」、「第１支持台」がそれぞれ本願補正発明の「フェルール固定部材」、「ファイバスライド部」に相当し、両者が本願補正発明でいうところの「基台」を「フェルール固定部とファイバスライド部とに分割」したものに相当する、といえるのは明らかであるから、引用発明１において、「光コネクタフェルールを固定する第２支持台と、当該第２支持台に揺動自在に枢着され、光ファイバテープ心線をゴム板を介して摩擦接触するスライダがその上に設けられた第１支持台」とは、それら一体で本願補正発明の「治具の基台」に相当する。 
（ｂ）また、引用発明１の「微細孔」、「Ｖ溝」、「光コネクタフェルール」、「光ファイバテープ心線」、「スライダ」、「前方へ移動」及び「光ファイバテープ心線の多数本の光ファイバを光コネクタフェルールの微細孔へ挿入する方法」は、それぞれ本願補正発明の「ファイバ穴」、「ガイド溝」、「フェルール」、「テープ心線」、「送り部材」、「前進」及び「多心光コネクタの組立方法」に相当する。　  
　  
　したがって、両者は、　  
「ファイバ穴と当該ファイバ穴に光ファイバを誘導するためのガイド溝を有するフェルールが、治具の基台上に固定してあり、前記基台上において、送り部材がテープ心線を前記フェルールに向かって前進して、前記ファイバ穴に光ファイバが挿入されるようにする工程において、 
　前記基台がフェルール固定部とファイバスライド部とに分割してあって、前記送り部材を前進して、そのために光ファイバの先端が前記ガイド溝内に納まり、その後、さらに前記送り部材を前進させファイバ穴へ光ファイバの送り込む多心光コネクタの組立方法。」である点で一致し、次の点で相違する。　  
 　  
相違点１： 
　本願補正発明では、送り部材を前進させファイバ穴へ光ファイバを送り込む際、この送り込みは前記ファイバスライド部を後ろ上がりに傾斜させた状態にて行った後、さらにファイバスライド部を水平状態に戻して行う（即ち、送り込みを２段階の動作で行う）ようにしているのに対し、引用発明１では、ファイバスライド部を水平状態に戻して送り込みを行うようにしていない点。 
相違点２： 
　本願補正発明では、光ファイバの先端を前記ガイド溝内に納める際に、ファイバスライド部を後ろ上がりに傾斜させるのに対し、引用発明１では、フェルール固定部を後ろ上がりに傾斜させる点。  
相違点３： 
　本願補正発明では、光ファイバの先端部がガイド溝の上方にさしかかったときに（ファイバスライド部を）傾斜させるのに対し、引用発明１では、（フェルール固定部を）傾斜させるタイミングが明らかでない点。 
相違点４： 
　本願補正発明では、送り部材がテープ心線を「把持」するのに対し、引用発明１では、送り部材がテープ心線を把持するものではない点。　  
　 
４．判断　　  
１）上記相違点１につき検討する。　  
　多心光ファイバを心出し孔へ送り込む際、その送り込みを光コネクタを支持するステージテーブルを傾斜させて行った後、さらにこれを水平状態の戻して送り込みを２段階の動作で行うようにする多心光コネクタ組立装置の発明は引用刊行物２において知られており、この点を引用発明１に適用して上記相違点を含む本願補正発明の技術的事項とすることは当業者が容易になし得ることである。 
２）上記相違点２につき検討する。　  
　光ファイバの先端を前記ガイド溝内に納める際に、光コネクタフェルールに対して光ファイバテープ心線側を後ろ上がりに傾斜させるようにする発明は引用刊行物３において知られており、この点を引用発明１に適用して上記相違点を含む本願補正発明の技術的事項とすることは、当業者が容易になし得ることである。 
３）上記相違点３につき検討する。 
　光ファイバの先端部がガイド溝の上方にさしかかったときに光ファイバとコネクタとを相対的に傾斜させるようにする多心光コネクタ組立装置に関する発明は引用刊行物２において知られており、この点を引用発明１に適用して上記相違点を含む本願補正発明の技術的事項とすることは、当業者が容易になし得ることである。 
４）上記相違点４につき検討する。 
　スライド可能な心線ホルダ（送り部材）により光ファイバテープ心線を把持する発明は引用刊行物４において知られており、この点を引用発明１に適用して上記相違点を含む本願補正発明の技術的事項とすることは、当業者が容易になし得ることである。 
  
　そして、本願補正発明によってもたされる効果は、上記引用刊行物記載の各発明から当業者が予測し得る程度のものにすぎない。　  
 　  
　したがって、本願補正発明は、上記各引用刊行物に記載された発明に基づいて当業者が容易に発明をすることができたものであるから、特許法第２９条第２項の規定により、特許出願の際独立して特許を受けることができないものである。　  
 　  
５．むすび  
　以上のとおり、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。　  
　
　
　
ＩＩＩ．本願発明について
１．本願発明
　平成１６年１２月２０日付の手続補正は上記のとおり却下されたので、本願の請求項に係る発明は、本願の願書に最初に添付された明細書に記載された特許請求の範囲の請求項１及び２に記載された事項によって特定されるものであるところ、その請求項２に係る発明は次のとおりのものである。
「【請求項２】　フェルールへ光ファイバを誘導し、当該フェルール前面のファイバ穴へ光ファイバを挿入する多心光コネクタの組立治具であって、前記組立治具は、フェルールを固定するフェルール固定部と、光ファイバをスライド可能に載置するファイバスライド部とに分割され、前記フェルール固定部と前記ファイバスライド部とは、回動可能に連結されていることを特徴とする、多心光コネクタの組立治具。」（以下、「本願発明」という。）
　
２．刊行物記載の発明
　原査定の拒絶の理由に引用された引用刊行物１：実願平１−７８３５９号（実開平３−１８５０５号）のマイクロフィルムには、上記ＩＩ．２．（１）において摘記した事項が記載され、前述したとおり、以下の引用発明１Ａが記載されている、と認められる。
　
「光コネクタフェルールへ光ファイバを導き、当該光コネクタフェルールの微細孔へ光ファイバを挿入する、多数本光ファイバのための光コネクタ組立用の心線挿入工具であって、
前記光コネクタ組立用の心線挿入工具は、光コネクタフェルールを固定する第２支持台と、光ファイバを前後方向へ移動可能に保持する第１支持台とが揺動可能に枢着されている、多数本光ファイバのための光コネクタ組立用の心線挿入工具。」
　
３．対比・判断
　本願発明と引用発明１Ａを対比する。
（ａ）引用発明１Ａの「光コネクタフェルール」、「導き」、「多数本光ファイバのための光コネクタ組立用の心線挿入工具」、「第２支持台」、「前後方向へ移動可能」、「保持」及び「第１支持台」は、それぞれ本願発明の「フェルール」、「誘導し」、「多心光コネクタの組立治具」、「フェルール固定部」、「スライド可能」、「載置」及び「ファイバスライド部」に相当する。
（ｂ）引用発明１Ａの「光コネクタフェルールの微細孔」は、そこに挿入される光ファイバからみて当該光コネクタフェルールの前方面側に形成されている（第７図参照）から、本願発明の「フェルール前面のファイバ穴」に相当する、といえる。
（ｃ）引用発明１Ａにおいて、「第２支持台」と、当該第２支持台に揺動自在に枢着される「第１支持台」とは、それらが一体で本願発明の「組立治具」に相当するものであり、それらがそれぞれ、本願発明でいうところの「組立治具」を、「フェルール固定部」と「ファイバスライド部」とに分割したものに相当する、ということができる。
（ｄ）引用発明１Ａの「第２支持台」と「第１支持台」とは揺動可能に枢着されているから、両者は「回動可能に連結されている」、ということができる。
　
　したがって、本願発明と引用発明１Ａとは、
「フェルールへ光ファイバを誘導し、当該フェルール前面のファイバ穴へ光ファイバを挿入する多心光コネクタの組立治具であって、前記組立治具は、フェルールを固定するフェルール固定部と、光ファイバをスライド可能に載置するファイバスライド部とに分割され、前記フェルール固定部と前記ファイバスライド部とは、回動可能に連結されている、多心光コネクタの組立治具。」
である点で一致するから、両者は同一である。
　
　なお、原査定の拒絶の理由は、特許法第２９条第１項第３号に該当するというものではないが、審判請求人は、審判請求書において、本願発明と上記引用刊行物１に記載された発明とを対比し、容易性のみならず、同一性についても検討していることは明らかである。
 　
４．むすび
　以上のとおり、本願発明は、引用刊行物１に記載された発明であるから、特許法第２９条第１項第３号の規定に該当し、特許を受けることができない。
　
　よって、結論のとおり審決する。